(57)【要約】【課題】より高性能な水素吸引具を提供することである。【解決手段】水素分散提供具１は、ユーザの体の少なくとも一部を表面側で支持することが可能な本体部２と、水素を供給することができる装置に接続可能な接続部３と、を有し、本体部２は、本体部２の表面側から分散的に、接続部３から供給される水素を排出可能に形成されている。【選択図】図１
2019047906.tif 000002
【特許請求の範囲】
【請求項１】
ユーザの体の少なくとも一部を表面側で支持することが可能な本体部と、
水素を供給することができる装置に接続可能な接続部と、を有し、
前記本体部は、
前記本体部の表面側から分散的に、
前記接続部から供給される水素を排出可能
に形成されている
水素分散提供具。
【請求項２】
前記本体部は、水素通路部を有し、
前記水素通路部は、枝分かれした管路形状を有し、
前記水素通路部は、
前記本体部の表面側に水素を通過させるための貫通孔が形成されている
請求項１に記載の水素分散提供具。
【請求項３】
前記本体部は、前記水素通路部を表面側と裏面側の両方から挟み込む布部を有し、
前記布部は、織物によって形成されている
請求項２に記載の水素分散提供具。
【発明の詳細な説明】
【技術分野】
【０００１】
本発明は、水素をユーザに提供する器具に関する。
【背景技術】
【０００２】
特許文献１には、水素吸引装置の技術が開示されている。
【先行技術文献】
【特許文献】
【０００３】
【特許文献１】特開２０１４―０６１２７５号公報
【発明の概要】
【発明が解決しようとする課題】
【０００４】
しかしながら、より確実に水素を吸引したいという需要がある。
【０００５】
本発明の課題は、より高性能な水素分散提供具を提供することである。
【課題を解決するための手段】
【０００６】
本発明の水素分散提供具は、ユーザの体の少なくとも一部を表面側で支持することが可能な本体部と、水素を供給することができる装置に接続可能な接続部と、を有し、前記本体部は、前記本体部の表面側から分散的に、前記接続部から供給される水素を排出可能に形成されている。
【０００７】
好適には、前記本体部は、水素通路部を有し、前記水素通路部は、枝分かれした管路形状を有し、前記水素通路部は、前記本体部の表面側に水素を通過させるための貫通孔が形成されている。
【０００８】
好適には、前記本体部は、前記水素通路部を表面側と裏面側の両方から挟み込む布部を有し、前記布部は、織物によって形成されている。
【発明の効果】
【０００９】
本発明における水素分散提供具によって、より高性能な水素吸引具を提供することが可能となった。
【図面の簡単な説明】
【００１０】
【図１】本発明の第１の実施形態に係る水素分散提供具を示す説明図である。
【図２】本体部の表面Ｆ側からの説明図である。
【発明を実施するための形態】
【００１１】
＜第１の実施形態＞
図１は、本発明の第１の実施形態に係る水素分散提供具１を示す説明図である。
【００１２】
水素分散提供具１は、本体部２と接続部３とを有している。
本体部２は、図１の様に、ベッド形状を有している。つまり、本体部２は、長方形形状の表面Ｆ、及び、この表面Ｆと同じ形状の裏面Ｂとの間（厚さ）が、所定距離離れた、直方体形状をしている。もっとも、厚さは縦横の長さに比べると、１／１０以下である。
この表面Ｆと裏面Ｂとの間に、水素通路部２１が形成（収納）されている。
この表面Ｆと裏面Ｂは、四辺（端部分２２）で互いに結合されている他、端部分２２以外においても、ところどころ中央結合部２３で結合されている。そして、これによって、互いの位置が所定距離以上ずれるのを防止している。
中央結合部２３は、図１のように、長方形形状の表面Ｆ又は裏面Ｂの短手方向に、連続的に形成されていても良い。
【００１３】
本体部２（表面Ｆ及び裏面Ｂ）は、例えば、布、不織布で形成されており。それ自体が、水素を通過可能に形成されている。水素以外に、湿気、空気なども通過可能とすると、本体部２上に寝転ぶユーザへの快適性を増すことができるので、好適である。
【００１４】
また、本体部２は、ユーザの少なくとも体の一部が上に載っていても、水素を供給できなくなるほどの変形をしないように作られている。
もっとも、体の一部、例えば、頭のみ、足のみ、胴体のみ、上半身のみだけである必要はなく、体の全体が乗るベッドの大きさであっても良い。
なお、図１で示す、本体部２は、体全体を支持することができる大きさの物を想定して記載している。
【００１５】
接続部３は、管形状を有している。
そして、接続部３の本体部２側の端部である本体側端部３１は、水素通路部２１に接続されている。
また、接続部３の他方の端部である他端側端部３２は、少なくとも水素（水素分子）を供給（発生）することかできる水素発生装置１０１に気密的に接続可能な形状を有している。
なお、この接続部３の長さは、図１の様に長い必要はなく、水素通路部２１に空いた穴のようなものであってもよい。
【００１６】
図２は、本体部２の表面Ｆ側からの説明図である。
【００１７】
図２の様に、表面Ｆと裏面Ｂとの間に形成されている水素通路部２１は、接続部３から供給される水素を分散的に表面Ｆ側から供給可能に形成されている。
より具体的には、タコ足の様に、分岐した形状を有している。
分岐の方法は、このような形状である必要はなく、他の形状であっても良い。例えば、末端側肉に従い細かく分かれていく、毛細血管（樹木の枝）の様な形状であってもよい。さらには、分岐は他の形状であってもよい。
さらに、分岐でなくても良い。具体的には、例えば、蛇行する管路形状であっても良い。
【００１８】
この水素通路部２１は、図２では、全ての中央結合部２３の列の間に入っているわけではないが、もちろん、すべての列の間に入れることも可能である。
【００１９】
水素通路部２１には、所定間隔ごとに、表面Ｆ側のみに形成された複数の貫通孔２１ａを有している。
この貫通孔２１ａ部分から水素が表面Ｆ側に集中的に供給される。
この穴の位置、方向、個数などは任意に変更可能である。
例えば、中央付近に多く設けるなども可能である。そうすることによって、中心付近に体を横たえることが多いと思われるユーザに効果的に水素を供給することも可能となる。
さらに、体の一部に特に集中的に水素を提供したいユーザの為に、所定の位置に集中的に配置することも可能である。そして、貫通孔２１も、提供したい位置に向くような方向に向かって穴をあけることもできる。
さらに、水素分子は小さい分子であるため、貫通孔２１ａを設けず、水素が通過可能な材質（ビニール等）で形成することも可能である。
逆に、極めてたくさんの小さな穴を設けることも可能である。
【００２０】
なお、水素通路部２１が内部に圧力をもって膨らむ構造とすることが適切であるから、この膨らむ力で、ユーザを保持するという構造であっても良い。
【００２１】
以上の、実施形態では、表面Ｆと裏面Ｂとは別に、水素通路部２１を別部材から形成していたが、
表面Ｆと裏面Ｂを結合して、その間の空間を、水素通路部２１として利用することも可能である。あたかも、空気で膨らませるエアーベット（筏用のウキワ等）と同様の構造にすることも可能である。
もちろん、表面Ｆには、水素を吹き出すための構造（例えば貫通孔２１ａ）が設けられることが好適であるが、前述の様な様々な水素を提供する構造があり得る。
【００２２】
＜実施形態の構成及び効果＞
水素分散提供具１は、ユーザの体の少なくとも一部を表面側で支持することが可能な本体部２と、水素を供給することができる装置に接続可能な接続部３と、を有し、本体部２は、本体部２の表面側から分散的に、接続部３から供給される水素を排出可能に形成されている。
このような構成を有することから、より高性能な水素吸引具を提供することが可能となった。
【００２３】
本体部２は、水素通路部２１を有し、水素通路部２１は、枝分かれした管路形状を有し、水素通路部２１は、本体部２の表面側に水素を通過させるための貫通孔２１ａが形成されている。
このような構成を有することから、ユーザの求める部分に水素を直接吹きかけつつ、ユーザに負担の少ない水素分散提供具１を手供することが可能となった。
【００２４】
本体部２は、水素通路部２１を表面側と裏面側の両方から挟み込む布部（表面Ｆ及び裏面Ｂ）を有し、布部（表面Ｆ及び裏面Ｂ）は、織物によって形成されている。
このような構成を有することから、ユーザは、通常の布団のように使用することが可能となる。
【００２５】
本発明の、構造、材料、各部材の連結などは、本発明の要旨を変更しない範囲で、様々に変更可能である。
材質も、金属、プラスチック、ビニール、布、等を自由に選択することが可能である。
例えば、２つ以上の部材を１つにすることも可能であるし、逆に、１つの部材を２つ以上の別の部材から構成して接続することも可能である。
また、上記実施形態は、あくまでも、現在のところの最良の形態の１つにすぎない。
【００２６】
＜定義等＞
本発明における水素分散提供具は、水素のみを提供することも可能であるが、少なくとも水素を提供できれば足り、例えば、空気中に水素が大気濃度よりも高い濃度で含むものを含む。
さらに、水素分散提供具は、水素に加えて酸素を加えるものであっても良い。加えて、水素分散提供具は空気中に水素を加えたものに、さらに、酸素を加えるものも含まれる。
【符号の説明】
【００２７】
１      ：水素分散提供具
２      ：本体部
３      ：接続部
２１    ：水素通路部
２１ａ  ：貫通孔
２２    ：端部分
２３    ：中央結合部
３１    ：本体側端部
３２    ：他端側端部
１０１  ：水素発生装置
Ｂ      ：裏面
Ｆ      ：表面
【図１】
2019047906.tif 000003
【図２】
2019047906.tif 000004